(57)【要約】【課題】  給電手段のバネの接点部の消耗を防止する。【解決手段】  パネル型スピーカ用エキサイタ１０はバイモルフ１を保持しているバイモルフ保持部２に給電用のＵ字状バネ６が挿入されている。バネ６は先端部に近いところに２つの接点部６ａを有し、２つの先端部にはＴ字形状の案内部６ｂが形成されている。バネ保持部７にはテーパー形状の斜面部７ａが形成されており、バネ６の案内部６ｂは案内受部である斜面部７ａに乗り上げて互いに開く。バネ保持部７には逃げ部８が形成されており、ここではバネ６の案内部６ｂが接触しない。【選択図】      図１
2007019672.tif 000002
【特許請求の範囲】
【請求項１】
両面に給電を要する圧電素子等からなるバイモルフを用い、該バイモルフを固定するための樹脂成形された保持部と該保持部に形成されたバネ保持部を持ち、断面Ｕ字状の二股の板バネから成る給電用バネをこのバネ保持部に挿入する構造から成るパネル型スピーカ用エキサイタにおいて、前記バネの先端に案内部を設け、前記バネ保持部に前記案内部を受ける案内受部を設け、前記バネの挿入開始段階においては、前記案内部と前記案内受部とが接触して前記バネが開き、前記バネの挿入終了段階においては、前記案内部と前記案内受部とが接触しないで前記バネが閉じることを特徴とするパネル型スピーカ用エキサイタ。
【請求項２】
前記バネの前記案内部は前記バネの先端にＴ字状に形成されており、前記案内部を受ける案内受部はバネ挿入方向に沿って設けた前記バネの案内部と接触する斜面部並びにこの斜面部に連続する平坦部並びに前記バネの案内部と接触しない逃げ部からなることを特徴とする請求項１記載のパネル型スピーカ用エキサイタ。
【請求項３】
前記バネの前記案内部は中央に長穴又は凹部を持つ板バネの先端に形成されており、前記案内部を受ける案内受部はバネ挿入方向に沿って設けた斜面部並びに前記長穴又は凹部と嵌合する突起部並びに前記バネの案内部と接触しない逃げ部からなることを特徴とする請求項１記載のパネル型スピーカ用エキサイタ。
【発明の詳細な説明】
【技術分野】
【０００１】
本発明は携帯電話等の小型携帯機器に用いるパネル型スピーカ用エキサイタに関する。
【背景技術】
【０００２】
従来、圧電素子は圧電効果を利用した受動素子の一つであり、例えばパネル型スピーカ用のエキサイタとして用いられている。エキサイタへ給電するためにはバネが用いられ、このバネが圧電素子であるバイモルフの両面の電極に接続され、更に外部へ取り出す手段として用いられている（例えば、特許文献１参照。）。
【０００３】
図９はこのような従来のパネル型スピーカ用エキサイタを示す平面図である。図１０は図９のＡ−Ａ断面を示す断面図である。図９において、５０はパネル型スピーカ用のエキサイタを示している。１は金属板の表裏両面に給電を要する圧電素子等から成る圧電体層を形成したバイモルフを示している。５１はバイモルフ１を保持する保持部を示している。３は駆動信号の一方の入力端子を示している。５６は先端に２つの接点部５６ａを有する断面Ｕ字状の二股の給電用バネを示しており、バネ５６には駆動信号の他方の入力端子としてのタブ５６ｂが形成されている。５７は保持部５１に形成されたバネ保持部を示しており、バネ保持部５７においてバイモルフ１の電極面１ａがバネ５６と接触する。バイモルフ１には信号入力端子３及びタブ５６ｂを通して交流信号が供給されると、圧電体層がバイモルフ１の長手方向に伸縮して撓み信号が励振される。
【０００４】
ここで、バネ５６の組立状態について説明する。図１１はバネの組立前の状態を示すエキサイタ５０の断面図である。図１１において、バネ５６を挿入するときに先端部はバイモルフ１の先端部の形状によって開き、接点部５６ａはバイモルフ１の電極面１ａに沿って摺動し、図１０の位置に固定される。
【特許文献１】特開平６−３３８７５２号公報（図１−２、段落番号００１３−０１６）
【発明の開示】
【発明が解決しようとする課題】
【０００５】
しかし、このバネ５６をバネ保持部５７のバイモルフ１に挿入する際に、バネ５６の接点部５６ａがバイモルフ１の表面を摺動するために、その接点部５６ａが消耗して接点としての性能を損なう可能性がある。
【０００６】
本発明は、このような従来の問題を解決するためになされたものであり、その目的は、給電手段のバネの接点部が消耗しないパネル型スピーカ用エキサイタを提供することである。
【課題を解決するための手段】
【０００７】
前述した目的を達成するための本発明の手段は、両面に給電を要する圧電素子等からなるバイモルフを用い、該バイモルフを固定するための樹脂成形された保持部と該保持部に形成されたバネ保持部を持ち、断面Ｕ字状の二股の板バネから成る給電用バネをこのバネ保持部に挿入する構造から成るパネル型スピーカ用エキサイタにおいて、前記バネの先端に案内部を設け、前記バネ保持部に前記案内部を受ける案内受部を設け、前記バネの挿入開始段階においては、前記案内部と前記案内受部とが接触して前記バネが開き、前記バネの挿入終了段階においては、前記案内部と前記案内受部とが接触しないで前記バネが閉じることを特徴とする。
【０００８】
また、前記バネの前記案内部は前記バネの先端にＴ字状に形成されており、前記案内部を受ける案内受部はバネ挿入方向に沿って設けた前記バネの案内部と接触する斜面部並びにこの斜面部に連続する平坦部並びに前記バネの案内部と接触しない逃げ部からなることを特徴とする。
【０００９】
また、前記バネの前記案内部は中央に長穴又は凹部を持つ板バネの先端に形成されており、前記案内部を受ける案内受部はバネ挿入方向に沿って設けた斜面部並びに前記長穴又は凹部と嵌合する突起部並びに前記バネの案内部と接触しない逃げ部からなることを特徴とする。
【発明の効果】
【００１０】
本発明によれば、両面に給電を要する圧電素子等からなるバイモルフを用い、該バイモルフを固定するための樹脂成形された保持部と該保持部に形成されたバネ保持部を持ち、断面Ｕ字状の二股の板バネから成る給電用バネをこのバネ保持部に挿入する構造から成るパネル型スピーカ用エキサイタにおいて、前記バネの先端に案内部を設け、前記バネ保持部に前記案内部を受ける案内受部を設け、前記バネの挿入開始段階においては、前記案内部と前記案内受部とが接触して前記バネが開き、前記バネの挿入終了段階においては、前記案内部と前記案内受部とが接触しないで前記バネが閉じるので、バネ挿入中においては、接点部は開いていて、挿入の完結時には接点部が初めて電極面に接触するために、バネの接点部が摩耗することがない。従って接点としての性能を損なうことのないエキサイタが得られた。
【発明を実施するための最良の形態】
【００１１】
以下、本発明の第１の実施の形態であるパネル型スピーカ用エキサイタについて図面を参照して詳細に説明する。図１は本発明の第１の実施の形態であるパネル型スピーカ用エキサイタを示す平面図である。図２は図１のＡ−Ａ断面を示す断面図である。図３及び図４は給電用バネを組み立てる動作を示す断面図である。
【００１２】
まず、本発明の第１の実施の形態であるパネル型スピーカ用エキサイタの構成について説明する。図１において、１０はパネル型スピーカ用エキサイタを示している。２はバイモルフ１を保持している樹脂成形されたバイモルフ保持部を示している。６は断面Ｕ字状の二股の板バネから成る給電用のバネを示している。バネ６は先端部に近いところに２つの互いに対向する接点部６ａを有し、２つの先端部にはＴ字形状の案内部６ｂが形成されている。７はバネ６を組み込み保持するバネ保持部を示しており、バネ保持部７にはバネ６の進入方向に沿って案内部６ｂを受ける案内受部としてのテーパー形状の斜面部７ａと斜面部７ａに続く平坦部７ｂ並びに後述の逃げ部が形成されている。８はバネ保持部７に形成された案内部６ｂを逃がす逃げ部を示しており、逃げ部８には案内部６ｂが接触しない。その他の構成は従来のエキサイタ５０と同様であるので、同じ構成要素には同じ符号と名称とを付して詳細な説明を省略する。
【００１３】
次に、図３及び図４によりバネを組み立てる順序を説明する。バネ６をパネル型スピーカ１０のバネ保持部７に挿入する際、挿入の初期段階においては、バネ６と保持部２に形成したバネ保持部７の斜面部７ａに沿ってバネ６の案内部６ｂが摺動してバネ６を開き、挿入中には案内部６ｂはバネ保持部７の平担部７ｂを摺動しており接点部６ａはバイモルフ１に接触しない。挿入の最終段階においては、案内部６ｂが逃げ部８に入り込むため、バネ６は自由となり付勢力が働いて閉じることによって接点部６ａがバイモルフ１に接触する。
【００１４】
次に、本発明の第１の実施の形態の効果について説明する。バネの挿入中においては接点部６ａは開いており、挿入の完結時に接点部６ａが初めてバイモルフ１に接触するために、接点部６ａが挿入のストローク中に摩耗することがない。従って接点としての性能を損なうことのないエキサイタが得られる。
【００１５】
次に、本発明の第２の実施の形態であるパネル型スピーカ用エキサイタについて図面を参照して詳細に説明する。図５は本発明の第２の実施の形態であるパネル型スピーカ用エキサイタを示す断面図である。図６は図５のＡ−Ａ断面を示す断面図である。図７及び図８は給電用バネを組み立てる動作を示す断面図である。
【００１６】
図５において、２０は本発明の第２の実施の形態であるパネル型スピーカ用エキサイタを示している。１２はバイモルフ１の樹脂成形された保持部を示している。１６は給電用バネを示している。バネ１６には２つの板バネ部が断面Ｕ字状に形成されており、板バネ部は接点部１６ａにおいて互いに最も近接しており、接点部１６ａから先端部にかけて互いに開いている。板バネ部の中央に接点部１６ａを含み、先端の案内部１６ｂを除いて長穴１６ｃが形成されている。１７はバイモルフ１の保持部１２に形成されたバネ保持部を示している。バネ保持部１７にはバネ１６の長穴１６ｃの幅より狭い幅を有する案内部１６ｂを受ける案内受部としての突起部１７ｃ及び逃げ部８が形成されている。突起部１７ｃはバネ１６の進入方向に沿ってテーパー形状の斜面部１７ａ並びに斜面部１７ａに続く平坦部１７ｂから成っている。その他の構成は第１の実施の形態であるエキサイタ１０と同様であるので、同じ構成要素には同じ符号と名称とを付して詳細な説明を省略する。
【００１７】
次に、図７及び図８により給電用バネを組み立てる順序を説明する。バネ１６を挿入する際、挿入の初期段階においては、バネ１６の案内部１６ｂは突起部１７ｃに乗り上げながら摺動するので、接点部１６ａはバイモルフ１に接触しない。挿入の最終段階において案内部１６ｂが突起部１７ｃを越えて逃げ部８に入り込み、突起部１７ｃが長穴１６ｃに入るので、バネ１６は自由となり付勢力が働いて閉じることにより接点部１６ａがバイモルフ１に接触する。
【００１８】
次に、本発明の第２の実施の形態の効果について説明する。バネ１６の挿入中においては、接点部１６ａは開いていて、挿入の完結時に接点部１６ａが初めてバイモルフ１に接触するために、バネ１６の接点部１６ａが摩耗することがない。従って接点としての性能を損なうことのないエキサイタが得られる。なお、長穴１６ｃは突起部１７ｃが収まるような凹部であってもよい。
【産業上の利用可能性】
【００１９】
本発明のパネル型スピーカ用エキサイタは、携帯電話、ノート型ＰＣ、ＰＤＡ等に広く適用できるものである。
【図面の簡単な説明】
【００２０】
【図１】本発明の第１の実施の形態であるパネル型スピーカ用エキサイタを示す平面図である。
【図２】図１のＡ−Ａ断面を示す断面図である。
【図３】本発明の第１の実施の形態であるバネの組立順序を示す断面図である。
【図４】本発明の第１の実施の形態であるバネの組立順序を示す断面図である。
【図５】本発明の第２の実施の形態であるパネル型スピーカ用エキサイタを示す平面図である。
【図６】図５のＡ−Ａ断面を示す断面図である。
【図７】本発明の第２の実施の形態であるバネの組立順序を示す断面図である。
【図８】本発明の第２の実施の形態であるバネの組立順序を示す断面図である。
【図９】従来のパネル型スピーカ用エキサイタを示す平面図である。
【図１０】図９のＡ−Ａ断面を示す断面図である。
【図１１】従来のバネの組立順序を示す断面図である。
【符号の説明】
【００２１】
１  バイモルフ
２、１２  保持部
６、１６  給電用バネ
６ａ、１６ａ  接点部
６ｂ、１６ｂ  案内部
７、１７  バネ保持部
７ａ、１７ａ  斜面部
７ｂ、１７ｂ  平坦部
８  逃げ部
１０、２０  エキサイタ
１６ｃ  長穴
１７ｃ  突起部
【図１】
2007019672.tif 000003
【図２】
2007019672.tif 000004
【図３】
2007019672.tif 000005
【図４】
2007019672.tif 000006
【図５】
2007019672.tif 000007
【図６】
2007019672.tif 000008
【図７】
2007019672.tif 000009
【図８】
2007019672.tif 000010
【図９】
2007019672.tif 000011
【図１０】
2007019672.tif 000012
【図１１】
2007019672.tif 000013